(57)【特許請求の範囲】
【請求項１】
ホルダの頭部に刃体を有してその刃体に被せるカバーを有する彫刻刀を保管するための保管具本体を備えた彫刻刀保管具において、カバーを保持することができる保持部を設け、この保持部はカバーを着脱し得ることを特徴とする彫刻刀保管具。
【請求項２】
前記保持部は保持孔であり、ホルダの頭部に支持したカバーはその保持孔に挿入されてホルダの頭部から分離された状態で保持され、その保持孔に保持されたカバーはホルダの頭部に支持されてその保持孔から分離されることを特徴とする請求項１に記載の彫刻刀保管具。
【請求項３】
前記保持部とカバーとホルダの頭部との間には、ホルダの頭部に支持したカバーをホルダの頭部から分離する際にホルダの頭部に対するカバーの保持を解除してホルダの頭部から分離されたカバーを保持部に保持することができるとともに、その保持部に保持されたカバーをホルダの頭部に支持する際にホルダの頭部に対しカバーを保持してそのカバーを保持部から分離することができるように、相互着脱手段を設けたことを特徴とする請求項１または請求項２に記載の彫刻刀保管具。
【請求項４】
前記ホルダはその頭部から把持部を経て尻部にわたり長手方向へ延び、前記保持孔は保管具本体に保管された彫刻刀におけるホルダの長手方向に沿う方向へ開放される挿脱口を有し、カバーはその保持孔の挿脱口に対しホルダの長手方向に沿って挿脱されることを特徴とする請求項２に記載の彫刻刀保管具。
【請求項５】
保管具本体に複数の彫刻刀が保管され、その各彫刻刀はホルダの長手方向に対し直交する方向に沿って並べられ、前記保持孔は互いに隣接する両彫刻刀のホルダの尻部間に位置し、その保持孔の挿脱口はそのホルダの尻部に対する外側へホルダの長手方向に沿って開放されていることを特徴とする請求項４に記載の彫刻刀保管具。
【発明の詳細な説明】
【技術分野】
【０００１】
本発明は、ホルダの刃体に被せるガード等のカバーを有する彫刻刀を保管するためのケース等の彫刻刀保管具に関するものである。
【背景技術】
【０００２】
従来、下記特許文献１では、ガードやキャップを有する複数の彫刻刀を保管するためのケースが開示されている。
【先行技術文献】
【特許文献】
【０００３】
【特許文献１】特開２００９−２９１０７号公報
【発明の概要】
【発明が解決しようとする課題】
【０００４】
上記特許文献１では、使用時に必要に応じてホルダの頭部から離脱させたガードやキャップを適当な場所に保管するだけであるために紛失するおそれがある。
この発明は、ケース等の彫刻刀保管具において使用時に必要に応じてホルダの頭部から離脱させたガード等のカバーの紛失を防止して使い勝手を良くすることを目的としている。
【課題を解決するための手段】
【０００５】
後記実施形態の図面（図１〜８に示す第１実施形態、図９〜１０に示す第２実施形態）の符号を援用して本発明を説明する。
請求項１の発明にかかる彫刻刀保管具１０は、ホルダ３の頭部４に刃体７を有してその刃体７に被せるカバー８を有する彫刻刀１を保管するための保管具本体１１を備え、カバー８を保持することができる保持部２３を有し、この保持部２３はカバー８を着脱し得る。請求項１の発明では、彫刻刀１の使用時に必要に応じてホルダ３の頭部４から離脱させたカバー８を保管具１０の保持部２３に保持し得るので、カバー８の紛失を防止して使い勝手を良くすることができる。また、彫刻刀１の使用時に必要に応じてカバー８を保持部２３から離脱させるとともにホルダ３の頭部４に取着し得るので、使い勝手を良くすることができる。
【０００６】
請求項１の発明を前提とする請求項２の発明において、前記保持部は保持孔２３であり、ホルダ３の頭部４に支持したカバー８はその保持孔２３に挿入されてホルダ３の頭部４から分離された状態で保持され、その保持孔２３に保持されたカバー８はホルダ３の頭部４に支持されてその保持孔２３から分離される。請求項２の発明では、保管具１０に保持部として保持孔２３を設けるだけの簡単な構成により、カバー８を保持孔２３に対し着脱させるとともにホルダ３の頭部４に対しても着脱させることができ、使い勝手を良くすることができる。
【０００７】
請求項１または請求項２の発明を前提とする請求項３の発明において、前記保持部２３とカバー８とホルダ３の頭部４との間には、ホルダ３の頭部４に支持したカバー８をホルダ３の頭部４から分離する際にホルダ３の頭部４に対するカバー８の保持を解除してホルダ３の頭部４から分離されたカバー８を保持部２３に保持することができるとともに、その保持部２３に保持されたカバー８をホルダ３の頭部４に支持する際にホルダ３の頭部４に対しカバー８を保持してそのカバー８を保持部２３から分離することができるように、相互着脱手段を設けている。請求項３の発明では、保持部２３とカバー８とホルダ３の頭部４との間に設けた相互着脱手段により、カバー８を保持部２３に対し着脱させるとともにホルダ３の頭部４に対しても着脱させることができ、使い勝手を良くすることができる。
【０００８】
請求項２の発明を前提とする請求項４の発明において、前記ホルダ３はその頭部４から把持部５を経て尻部６にわたり長手方向Ｘへ延び、前記保持孔２３は保管具本体１１に保管された彫刻刀１，２におけるホルダ３の長手方向Ｘに沿う方向へ開放される挿脱口２４を有し、カバー８はその保持孔２３の挿脱口２４に対しホルダ３の長手方向Ｘに沿って挿脱される。請求項４の発明では、保管具１０に保管された彫刻刀１，２の配置との関係で保持孔２３を配設したので、保持孔２３を付加しても保管具１０を小型化することができる。
【０００９】
請求項４の発明を前提とする請求項５の発明において、保管具本体１１に複数の彫刻刀１，２が保管され、その各彫刻刀１，２はホルダ３の長手方向Ｘに対し直交する方向Ｙに沿って並べられ、前記保持孔２３は互いに隣接する両彫刻刀１，２のホルダ３の尻部６間に位置し、その保持孔２３の挿脱口２４はそのホルダ３の尻部６に対する外側へホルダ３の長手方向Ｘに沿って開放されている。請求項５の発明では、保管具１０に保管された彫刻刀１，２の配置との関係で保持孔２３を配設したので、保持孔２３を付加しても保管具１０を小型化することができる。
【００１０】
次に、請求項以外の技術的思想について実施形態の図面の符号を援用して説明する。
請求項１から請求項５のうちいずれか一つの請求項の発明を前提とする第６の発明において、保持部２３は保管具本体１１に設けられている。第６の発明では、保持部２３を保管具１０に設け易い。
【００１１】
請求項１から請求項５のうちいずれか一つの請求項の発明、または第６の発明を前提とする第７の発明において、前記保持部２３は前記カバー８が分離された分離状態Ｌ２３と保持された保持状態Ｍ２３とを取り、保持部２３がカバー８に対し分離状態Ｌ２３と保持状態Ｍ２３とを取る際に互いに係脱される係合部２９，５０ｃを設けている。第７の発明では、保持部２３及びカバー８に設けた係合部２９，５０ｃにより、カバー８を保持部２３に対し保持することができる。
【００１２】
第６の発明または第７の発明を前提とする第８の発明において、前記保持部２３によるカバー８の保持状態Ｍ２３で保持部２３に対するカバー８の位置を一定にするように規制部２７，４８を設けている。第８の発明では、規制部２７，４８により、保持部２３がカバー８に対し分離状態Ｌ２３と保持状態Ｍ２３とを取る際に係合部２９，５０ｃを互いに係脱させ易くすることができる。
【００１３】
請求項５の発明を前提とする第９の発明において、前記保持孔２３の挿脱口２４における内周縁で囲まれた内側領域Ｔ２４は、彫刻刀保管具１０に保管された彫刻刀１，２における尻部６の外周縁で囲まれた内側領域Ｔ６が彫刻刀１，２におけるホルダ３の長手方向Ｘへ延びる想定領域に対し、各彫刻刀１，２を並べた並設方向Ｙとその長手方向Ｘとに対し直交する方向Ｚで交差している。第９の発明では、保管具１０に保管された彫刻刀１，２の配置との関係で保持孔２３を配設したので、保持孔２３を付加しても保管具１０を小型化することができる。
【００１４】
請求項４または請求項５の発明、または第９の発明を前提とする第１０の発明において、前記保持孔２３の内周面で囲まれた収容室２６内にその保持孔２３の挿脱口２４よりも内側で前記カバー８が収容される。第１０の発明では、カバー８が保持孔２３の挿脱口２４の外側へ突出しないので、カバー８を保持孔２３に収容しても、使用時にホルダ３や手指等がカバー８に対し不用意に触れず、使い勝手を良くすることができる。
【００１５】
請求項２または請求項４または請求項５の発明、または第９の発明または第１０の発明を前提とする第１１の発明において、前記各彫刻刀は刃体７に被せるカバー８を有する複数の彫刻刀１とそのカバー８を有しない彫刻刀２とからなり、前記保持孔２３の数はカバー８を有しない彫刻刀２の数を彫刻刀１，２の総数から引いたものである。第１１の発明では、カバー８を有する複数の彫刻刀１の数に合わせて必要最小限数の保持孔２３を保管具１０に設けるので、保持孔２３を付加しても保管具１０を小型化することができる。
【００１６】
請求項２または請求項４または請求項５の発明、または第９〜１１の発明のうちいずれか一つの発明を前提とする第１２の発明において、前記保管具本体は、彫刻刀１，２を収容するケース本体１１であって、保管された彫刻刀１，２を載置する底壁１２と、保管された彫刻刀１，２におけるホルダ３の長手方向Ｘの両側とその長手方向Ｘに対し直交する方向Ｙの両側とでそれぞれ底壁１２の周囲を囲う側壁１３，１４，１５，１６とを有し、前記保持孔２３はこの側壁１４に形成されている。第１２の発明では、ケース本体１１の側壁１４に保持孔２３を配設したので、保持孔２３を付加してもケース本体１１を小型化することができる。
【００１７】
請求項２または請求項４または請求項５の発明、または第９〜１２の発明のうちいずれか一つの発明を前提とする第１３の発明において、前記保持孔２３は前記カバー８が分離された分離状態Ｌ２３と保持された保持状態Ｍ２３とを取り、前記ホルダ３は前記カバー８に対し分離された離脱状態Ｐ８と支持された取着状態Ｒ８とを取り、取着状態Ｒ８のホルダ３を分離状態Ｌ２３の保持孔２３に挿入した後にホルダ３を離脱状態Ｐ８にして保持孔２３を保持状態Ｍ２３にするとともに、離脱状態Ｐ８のホルダ３を保持状態Ｍ２３の保持孔２３に挿入した後にホルダ３を取着状態Ｒ８にして保持孔２３を分離状態Ｌ２３にするように、ホルダ３は保持孔２３に対しカバー着脱軌跡を取り得る。第１３の発明では、カバー８の有無を使い分けることができるとともに、ホルダ３により保持部２３に対しカバー８を着脱することができ、使い勝手を良くすることができる。
【００１８】
第１３の発明を前提とする第１４の発明において、前記保持孔２３に対する前記ホルダ３のカバー着脱軌跡は、ホルダ３を保持孔２３に対し挿脱させる挿脱方向Ｘと、この挿脱方向Ｘに対し交差してホルダ３をカバー８に対し係脱させる係脱方向Ｓとを有している。第１４の発明では、挿脱方向Ｘと係脱方向Ｓとを互いに交差させているため、カバー８に対し挿脱方向Ｘの力が加わっても、ホルダ３に対するカバー８の係止が解除されにくくなり、安全性が高くなって使い勝手が良くなる。また、挿脱方向Ｘと係脱方向Ｓとを組み合わせた操作だけでホルダ３をカバー８に対し係脱させることができるので、ホルダ３及びカバー８を見なくても手の感触だけで係脱して操作することができる。
【００１９】
第１４の発明を前提とする第１５の発明において、前記カバー着脱軌跡おいて係脱方向は挿脱方向Ｘの周りの周方向Ｓである。第１５の発明では、カバー８に対するホルダ３の着脱を容易に行うことができる。
【００２０】
第１５の発明を前提とする第１６の発明において、前記ホルダ３の頭部４にストッパ４２を設けるとともに、前記保持孔２３にストッパ２８を設け、前記係脱方向Ｓのガード着脱軌跡で、これらのストッパ４２，２８が互いに当接して、保持孔２３に対するホルダ４の頭部５の移動範囲を規制する。第１６の発明では、ホルダ３のカバー着脱軌跡で、保持孔２３に対しホルダ４の頭部５をカバー８とともに円滑に移動させることができる。
【００２１】
請求項３の発明を前提とする第１７の発明において、前記保持部２３は前記カバー８が分離された分離状態Ｌ２３と保持された保持状態Ｍ２３とを取り、前記ホルダ３は前記カバー８に対し分離された離脱状態Ｐ８と支持された取着状態Ｒ８とを取り、前記保持部２３とカバー８との間の相互着脱手段は、保持部２３がカバー８に対し分離状態Ｌ２３と保持状態Ｍ２３とを取る際に互いに係脱される係合部２９，５０ｃを有し、前記ホルダ３の頭部４とカバー８との間の相互着脱手段は、取着状態Ｐ８でホルダ３の頭部４に対するカバー８の離脱を阻止する係止部３７，５１，５０ａ，５０ｂを有している。第１７の発明では、これらの相互着脱手段により、カバー８を保持部２３に対し着脱させるとともにホルダ３の頭部４に対しても着脱させることができ、使い勝手を良くすることができる。
【００２２】
第１７の発明を前提とする第１８の発明において、前記係止部は複数組設けられ、ホルダ３の頭部４に設けた各係止部３７のうち特定の一つの係止部３７と、カバー８に設けた各係止部５１，５０ａ，５０ｂのうち特定の一つの係止部５１，５０ａ，５０ｂとのみが一組の係止部として互いに係止される。第１８の発明では、ホルダ３の頭部４に対しカバー８を常に一定の取着状態Ｒ８にすることができる。
【００２３】
第１７の発明または第１８の発明を前提とする第１９の発明において、前記係止部は、ホルダ３の頭部４の外周に形成した係止凸部３７と、カバー８の内周に形成した係止凸部５１と、これらの係止凸部３７，５１を互いに係止させる取着状態Ｒ８と互いに係止解除させる離脱状態Ｐ８との間でこれらの係止凸部３７，５１をホルダ３の頭部４の外周及びカバー８の内周に沿って案内する案内部５０ａ，５０ｂとを有している。第１９の発明では、ホルダ３の頭部４に対するカバー８の着脱を円滑に行うことができる。
【００２４】
第１９の発明を前提とする第２０の発明において、前記案内部は、ホルダ３の頭部４をカバー８に挿脱させるように挿脱方向Ｘへ延びる案内路５０ａと、ホルダ３の頭部４の係止凸部３７に対しカバー８の係止凸部５１を係脱させるように周方向Ｓへ延びる案内路５０ｂとを互いに連続させたものである。第２０の発明では、ホルダ３の頭部４に対するカバー８の着脱を容易に行うことができる。
【００２５】
請求項１から請求項５のうちいずれか一つの請求項の発明、または第６〜２０の発明のうちいずれか一つの発明を前提とする第２１の発明において、前記カバー８は刃体７の先端側に設けた刃先部７ａを挟むようにその刃先部７ａの両側に壁部４５を配置したガード８であって、この両壁部４５間を結ぶ方向Ｙとこの刃体７の延設方向Ｘとに対し直交する方向Ｚの両側のうち少なくとも一方の側で刃先部７ａが露出する開放部４６をこのガード８に設けている。第２１の発明では、ガード８を保持部２３に対し着脱可能に保持することができる。
【発明の効果】
【００２６】
本発明は、彫刻刀保管具１０において使用時に必要に応じてホルダ３の頭部４から離脱させたカバー８の紛失を防止して使い勝手を良くすることができる。
【図面の簡単な説明】
【００２７】
【図１】（ａ）（ｂ）（ｃ）（ｄ）（ｅ）はそれぞれ第１実施形態において複数種類の彫刻刀をケースから取り出した状態を示す平面図である。
【図２】第１実施形態において複数種類の彫刻刀をケースに収容した状態を示す一部切欠き平面図である。
【図３】（ａ）は第１実施形態において複数種類の彫刻刀をケースに収容した状態を示す斜視図であり、（ｂ）は（ａ）に示す保持孔の部分拡大斜視図であり、（ｃ）は（ａ）に示す保持孔を平面側から見た部分拡大断面図であり、（ｄ）は（ａ）に示す保持孔を側面側から見た部分拡大断面図である。
【図４】（ａ）は図１（ａ）に示すガード付き彫刻刀においてホルダのみを示す部分平面図であり、（ｂ）は同じく部分正面図であり、（ｃ）は同じく側面図であり、（ｄ）は図１（ｅ）に示すガードなし彫刻刀においてホルダのみを示す部分平面図であり、（ｅ）は同じく部分正面図であり、（ｆ）は同じく側面図である。
【図５】（ａ）は図１（ａ）（ｂ）（ｃ）（ｄ）に示すガード付き彫刻刀においてガードのみを示す斜視図であり、（ｂ）は同じく正面図であり、（ｃ）は同じく平面図であり、（ｄ）は同じく底面図であり、（ｅ）は同じく側面図であり、（ｆ）は（ｂ）のＡ１−Ａ１線部分断面図であり、（ｇ）は（ｂ）のＡ２−Ａ２線部分断面図である。
【図６】（ａ）は図１（ａ）に示すガード付き彫刻刀においてホルダからガードを分離した状態を示す部分平面図であり、（ｂ）は同じくホルダに対しガードを着脱する途中状態を示す部分平面図であり、（ｃ）は（ｂ）を平面側から見た部分断面図であり、（ｄ）は同じくホルダに対しガードを取着した状態を示す部分平面図であり、（ｅ）は（ｄ）を平面側から見た部分断面図であり、（ｆ）は同じくホルダに対しガードを取着した状態を示す部分正面図である。
【図７】（ａ）は図１（ａ）に示すガード付き彫刻刀においてガードを取着したホルダをケースの保持孔に挿入する前の状態を平面側から見た作用説明図であり、（ｂ）は同じくガードを取着したホルダをケースの保持孔に挿入した後の状態を平面側から見た作用説明図であり、（ｃ）は同じくガードを取着したホルダをケースの保持孔に挿入した後の状態を正面側から見た作用説明図であり、（ｄ）は（ｃ）における保持孔の挿脱口を示す部分側面図である。
【図８】（ａ）は図１（ａ）に示すガード付き彫刻刀においてホルダのみをケースの保持孔から分離する途中状態を平面側から見た作用説明図であり、（ｂ）は（ａ）における保持孔の挿脱口を示す部分側面図であり、（ｃ）は同じくガードをケースの保持孔に保持したままケースの保持孔から分離した状態を平面側から見た作用説明図であり、（ｄ）は同じく正面側から見た作用説明図である。
【図９】（ａ）は第２実施形態において複数種類の彫刻刀を収容したケース本体を蓋の上に載せた状態を示す斜視図であり、（ｂ）は同じく側面図である。
【図１０】（ａ）は第２実施形態において複数種類の彫刻刀を収容したケース本体に蓋を被せたケースを示す斜視図であり、（ｂ）は同じく側面図である。
【発明を実施するための形態】
【００２８】
まず、本発明の第１実施形態にかかる彫刻刀保管具について図１〜８を参照して説明する。
図１（ａ）（ｂ）（ｃ）（ｄ）に示す４本の彫刻刀１と図１（ｅ）に示す１本の彫刻刀２において、ホルダ３はその頭部４から把持部５を経て尻部６にわたり長手方向Ｘへ延びている。彫刻刀１においては、正面側から見て棒状のホルダ３が屈曲して形成され、そのホルダ３の頭部４の端部に刃体７（大丸刃、小丸刃、三角刃、平刃）が取着されてその頭部４の端部から刃体７が前方へ延設されているとともに、その頭部４の端部にカバーとしてのガード８を備えている。この棒状ホルダ３は平面側及び底面側から見て直線状に形成されている。彫刻刀２においては、棒状のホルダ３が平面側及び底面側ばかりでなく正面側から見ても直線状に形成され、そのホルダ３の頭部４の端部に刃体９（切出し刃）が取着されてその頭部４の端部から刃体９が前方へ延設されているが、上記ガード８を備えていない。なお、刃体９（切出し刃）についてはその使用時の把持状態からして直線状のホルダ３に取着することが好ましい。
【００２９】
図２及び図３に示すように、保管具としてのケース１０において、プラスチックにより成形されたケース本体１１は、保管された彫刻刀１，２を載置する底壁１２と、保管された彫刻刀１，２におけるホルダ３の長手方向Ｘの前後両側とその長手方向Ｘに対し直交する幅方向Ｙの左右両側とでそれぞれ底壁１２の周囲を囲う前後両側壁１３，１４と左右両側壁１５，１６とを有している。この各側壁１３，１４，１５，１６間で底壁１２上に保管室１７が設けられている。この保管室１７において、前側壁１３には左右両側壁１５，１６間で複数の前仕切り１８が左右方向Ｙへ並設され、後側壁１４には左右両側壁１５，１６間で複数の後仕切り１９が左右方向Ｙへ並設され、この前仕切り１８と後仕切り１９との間には複数の中間仕切り２０が左右方向Ｙへ並設されている。このケース本体１１内の保管室１７には前記各彫刻刀１，２が各仕切り１８，１９，２０間に収容されて左右方向Ｙへ並べられている。各後仕切り１９間には底壁１２の上方で台壁２１が形成されている。この台壁２１には保管された彫刻刀１，２の尻部６が載置される。なお、このケース本体１１の右側壁１６にはプラスチックにより成形された蓋２２が回動可能に支持されてケース本体１１を開閉し得る。
【００３０】
このケース本体１１の後側壁１４には前記各後仕切り１９の下方で保持部としての保持孔２３が形成されて互いに隣接する両ホルダ３の尻部６間に位置している。この保持孔２３の数は、彫刻刀１，２の総数（刃体７に被せるガード８を有する４本の彫刻刀１とそのガード８を有しない１本の彫刻刀２との和）から、ガード８を有しない１本の彫刻刀２の数を引いたものである。
【００３１】
前記各保持孔２３においては、保管された彫刻刀１，２のホルダ３の尻部６の付近で挿脱口２４がホルダ３の長手方向Ｘに沿って後側壁１４の外側へ開放され、その挿脱口２４に対し前後方向Ｘで対向する開口２５が各後仕切り１９及び各台壁２１の下方で保管室１７へ開放され、その挿脱口２４と開口２５との間の内周面で囲まれた収容室２６が形成されている。この保持孔２３の挿脱口２４における内周縁で囲まれた内側領域Ｔ２４は、保管された彫刻刀１，２のホルダ３の尻部６の外周縁で囲まれた内側領域Ｔ６がホルダ３の長手方向Ｘへ延びる想定領域に対し、各彫刻刀１，２を並べた並設方向Ｙとその長手方向Ｘとに対し直交する上下方向Ｚで交差している。この各保持孔２３の内周面には挿脱口２４の内周縁からホルダ３の長手方向Ｘへ延びる二個の溝２７（規制部）が周方向へ１８０度間隔で形成されている。この挿脱口２４の内周縁の上側には係止凹部２８（ストッパ）が形成されている。この各保持孔２３の内周面には上下方向Ｚの両側のうち下側のみに片持ち梁状の係止舌片部２９（係合部）が上下方向Ｚの弾性を有するようにスリット３０により形成され、この係止舌片部２９の内側には係止突起２９ａ（弾性係合凸部）が形成されている。なお、この各保持孔２３の内周面で上下方向Ｚの両側または周方向複数個所に片持ち梁状の係止舌片部２９を形成したり、片持ち梁状の係止舌片部２９に代えて両持ち梁状の係止舌片部２９を形成してもよい。
【００３２】
図４（ａ）（ｂ）（ｃ）に示すように、前記彫刻刀１において、ホルダ３の頭部４の端部にはキャップ支持部３１とガード支持部３２とが前後方向Ｘへ並設され、このガード支持部３２がこのキャップ支持部３１の前側で段差部３３を介して形成されている。このキャップ支持部３１において外周面３４の上側には、周方向Ｓへ延びる目印凹部３５が段差部３３に開放されるように形成されている。また、このガード支持部３２において、外周面３６には上下方向Ｚの両側で係止凸部３７が周方向Ｓへ１８０度間隔で形成されている。図４（ｄ）（ｅ）（ｆ）に示すように、前記彫刻刀２において、ホルダ３の頭部４の端部にはキャップ支持部３８のみが形成されている。このキャップ支持部３８において、外周面３９の左右方向Ｙの両側には前後方向Ｘへ延びる小突条４０が周方向Ｓへ１８０度間隔で形成されている。このキャップ支持部３１及びキャップ支持部３８において外周面３４，３９には、周方向Ｓの全体に係止溝４１が形成されているとともに、この係止溝４１の上側で係止突部４２（ストッパ）が形成されている。
【００３３】
図５に示すように、前記ガード８においては、基端筒部４３から前方へ環状部４４が延設されている。この環状部４４においては、左右方向Ｙの両側で壁部としての一対の腕部４５が延設され、上下方向Ｚの両側で開放部４６が形成されている。この基端筒部４３において、外周面４７には左右方向Ｙの両側で前後方向Ｘへ延びる突条４８（規制部）が周方向Ｓへ１８０度間隔で形成されている。この基端筒部４３において、内周面４９には上下方向Ｚの両側で口端縁４３ａから前後方向Ｘへ延びる案内路としての案内口部５０ａが形成されているとともに、その案内口部５０ａから周方向Ｓへ延びる案内路５０ｂが形成され、この案内路５０ｂと口端縁４３ａとの間で係止凸部としての係止壁部５１が周方向Ｓへ１８０度間隔で形成されている。この基端筒部４３には透孔５０ｃ（係合部または係合凹部）が外周面４７と内周面４９の案内路５０ｂとの間で貫設されている。この基端筒部４３の口端縁４３ａの上側には目印突起５２が形成されている。このガード８はプラスチック等により透明または半透明に成形されている。なお、前記環状部４４で両腕部４５の先端部は互いに分離されていてもよい。
【００３４】
図６（ａ）に示す前記彫刻刀１においては、ホルダ３は図５に示すガード８が図４に示すホルダ３の頭部４から分離された離脱状態Ｐ８にある。図６（ｂ）に示すように、ガード８の基端筒部４３内にその口端縁４３ａからホルダ３のガード支持部３２を挿入して基端筒部４３の内周面４９にガード支持部３２の外周面３６を挿嵌するとともに、ガード８の目印突起５２を目印凹部３５に対し挿脱方向Ｘへ挿入してこの基端筒部４３の口端縁４３ａを段差部３３に当接させると、図６（ｃ）に示すようにガード支持部３２の係止部としての係止凸部３７が基端筒部４３の案内部としての案内口部５０ａに係入され、ホルダ３はガード８がホルダ３に対し挿嵌される途中状態Ｑ８となる。次に、図６（ｄ）に示すように、ガード８をガード支持部３２に対し挿脱方向Ｘの周りの周方向Ｓ（挿脱方向Ｘに対し交差する係脱方向）へ回動させると、ガード８の目印突起５２が目印凹部３５で移動しながら、図６（ｅ）に示すようにガード支持部３２の係止凸部３７が基端筒部４３の案内部としての案内路５０ｂに係入されて基端筒部４３の係止部としての係止壁部５１に対し係止され、図６（ｄ）（ｆ）に示すようにガード８がホルダ３の頭部４に取着された取着状態Ｒ８となって前後方向Ｘへのガード８の移動が規制される。その場合、この係止凸部３７を透孔５０ｃから視認することができる。前記ホルダ３の途中状態Ｑ８で、上下両係止凸部３７のうち上側の係止凸部３７が上下両案内口部５０ａのうち上側の案内口部５０ａに係入されるとともに、上下両係止凸部３７のうち下側の係止凸部３７が上下両案内口部５０ａのうち下側の案内口部５０ａに係入され、上側の係止凸部３７が下側の案内口部５０ａに係入されたり下側の係止凸部３７が上側の案内口部５０ａに係入されたりすることはなくなり、ホルダ３の頭部４に対しガード８を常に一定の取着状態Ｒ８にすることができる。この取着状態Ｒ８では、刃体７の先端側に設けられた刃先部７ａをガード８の左右両腕部４５が挟むように配置され、この刃先部７ａが上下両開放部４６に露出するとともに下側開放部４６から前方へ若干突出している。逆に、この取着状態Ｒ８からガード８をガード支持部３２に対し周方向Ｓへ回動させた後に前後方向Ｘへ抜くと、ホルダ３は前記途中状態Ｑ８を経て離脱状態Ｐ８となる。このようにしてホルダ３はガード８に対し離脱状態Ｐ８と取着状態Ｒ８との間で途中状態Ｑ８を経てガード着脱軌跡を取る。
【００３５】
図７（ａ）に示す前記彫刻刀１においては、ガード８がホルダ３の頭部４に取着された取着状態Ｒ８で図３に示す保持孔２３からガード８及びホルダ３の頭部４が分離された分離状態Ｌ２３ある。図７（ｂ）（ｃ）（ｄ）に示すように、保持孔２３内にその挿脱口２４からガード８の環状部４４をホルダ３の頭部４とともに挿入して保持孔２３の内周面にガード８の基端筒部４３の外周面４７を挿嵌し、保持孔２３の両溝２７から基端筒部４３の両突条４８を係入してガード８を保持孔２３に対しホルダ３の頭部４とともに前後方向Ｘへ移動させると、ホルダ３の係止突部４２が保持孔２３の係止凹部２８に係入されるとともに、保持孔２３の係止舌片部２９の係止突起２９ａがガード８の下側の透孔５０ｃに係入された保持状態Ｍ２３となる。この保持状態Ｍ２３では、ガード８の環状部４４が保持孔２３の開口２５からケース本体１１の保管室１７へ突出するとともに、保持孔２３にガード８及びホルダ３の頭部４が支持され、保持孔２３の両溝２７に基端筒部４３の両突条４８が係入されているために、保持孔２３に対するガード８の周方向Ｓへの回動を阻止することができる。なお、ガード８の環状部４４は上下方向Ｚの厚みが先端ほど小さくなっているとともに左右方向Ｙの幅が先端側で小さくなっているため、ガード８を保持孔２３に挿入し易い。
【００３６】
次に、図８（ａ）（ｂ）に示すように、保持孔２３及びガード８に対しホルダ３の頭部４を周方向Ｓ（図７（ｄ）の左回転向き）へ回動させると、ガード８の目印突起５２がホルダ３の目印凹部３５に対し移動するとともにホルダ３の係止突部４２が保持孔２３の係止凹部２８に対して移動しながら、ホルダ３の係止凸部３７がガード８の案内路５０ｂから案内口部５０ａに移動し、ホルダ３は途中状態Ｑ８となる。その後、ホルダ３を保持孔２３及びガード８に対し前後方向Ｘへ移動させると、図８（ｃ）（ｄ）に示すように、ホルダ３の係止凸部３７がガード８の案内口部５０ａから抜けるとともに、保持孔２３の係止舌片部２９の係止突起２９ａがガード８の下側の透孔５０ｃに係入されたまま、ガード８が保持孔２３内で係止されて収容されている保持状態Ｍ２３となる。
【００３７】
逆に、図８（ｃ）（ｄ）に示す保持状態Ｍ２３からホルダ３を保持孔２３及びガード８に対し前後方向Ｘへ挿入すると、ホルダ３がガード８に対し挿入されて図８（ａ）（ｂ）に示す途中状態Ｑ８となる。その後、保持孔２３及びガード８に対しホルダ３を周方向Ｓ（図８（ｂ）の右回転向き）へ回動させると、図７（ｂ）（ｃ）（ｄ）に示すようにホルダ３が取着状態Ｒ８となる。その取着状態Ｒ８では、ホルダ３に対する前後方向Ｘへのガード８の移動が規制されるため、保持状態Ｍ２３にある保持孔２３からホルダ３をガード８とともに抜くことができ、保持孔２３の係止舌片部２９の係止突起２９ａがガード８の下側の透孔５０ｃから離脱された分離状態Ｌ２３にすることができる。このようにして保持孔２３は分離状態Ｌ２３と保持状態Ｍ２３とを取り、ホルダ３は保持孔２３に対しガード着脱軌跡（カバー着脱軌跡）を取る。
【００３８】
次に、図９〜１０に示す第２実施形態を第１実施形態との相違点を中心に説明する。
ケース１０は、ケース本体１１と、そのケース本体１１に対し分離されて開閉可能な蓋２２とからなる。ケース本体１１の後側壁１４には第１実施形態と同様に複数の保持孔２３が形成されているが、その後側壁１４の外側には互いに並ぶ各保持孔２３の上方で左右方向へ延びるリブ５３が形成されている。また、ケース本体１１の各前仕切り１８にはガード８の上方を囲う屋根部１８ａが形成されている。蓋２２の後側壁２２ａの下側には切欠き５４が形成されている。図９に示すようにケース本体１１を蓋２２の上に載置することができ、その状態ではケース本体１１のリブ５３と蓋２２の切欠き５４との間で各保持孔２３が囲まれて開放される。図１０に示すように蓋２２をケース本体１１に対し閉じてそれらを止め部５５によりロックすると、切欠き５４の下端縁がリブ５３に沿って重なり、その状態でも各保持孔２３が開放される。
【００３９】
なお、第１実施形態及び第２実施形態において、ケース本体１１に蓋２２を被せたケース１０における前後方向Ｘの寸法は約１９０ｍｍに、同じく左右方向Ｙの寸法は約１１０ｍｍに設定されている。
【００４０】
本実施形態は下記の効果を有する。
＊  彫刻刀１の使用時には、必要に応じて、ホルダ３の頭部４から離脱させたガード８をケース本体１１の保持孔２３に保持してガード８の紛失を防止し、そのガード８を保持孔２３から離脱させるとともにホルダ３の頭部４に取着することができるので、彫刻刀１の使い勝手を良くすることができる。
【００４１】
＊  ケース本体１１に保持孔２３を設けるだけの簡単な構成により、ガード８を保持孔２３に保持することができる。
＊  保持孔２３とガード８との間に設けた相互着脱手段（保持部２３がカバー８に対し分離状態Ｌ２３と保持状態Ｍ２３とを取る際に互いに係脱される係合部２９，５０ｃ）や、ガード８とホルダ３の頭部４との間に設けた相互着脱手段（取着状態Ｐ８でホルダ３の頭部４に対するカバー８の離脱を阻止する係止部を３７，５１，５０ａ，５０ｂ）により、ガード８を保持孔２３に対し着脱させるとともにホルダ３の頭部４に対しても着脱させることができ、使い勝手を良くすることができる。
【００４２】
＊  保持孔２３を互いに隣接する両ホルダ３の尻部６間で形成するとともに、ホルダ３が屈曲した彫刻刀１をケース本体１１に収容した状態でそのホルダ３の尻部６と底壁１２との間に生じるスペースを有効利用して保持孔２３を形成し、その保持孔２３の挿脱口２４をその尻部６に対する外側へホルダ３の長手方向Ｘに沿って開放し、ガード８をその挿脱口２４に対しホルダ３の長手方向Ｘに沿って挿脱するようにして、ケース本体１１に保管された彫刻刀１，２の配置との関係で保持孔２３を配設したので、保持孔２３を付加してもケース本体１１を小型化することができる。
【００４３】
前記実施形態以外にも例えば下記のように構成してもよい。
・  カバーとしては、ガード８以外に、刃体７またはガード８の一部若しくは全部を覆って隠すキャップであってもよい。
【００４４】
・  各彫刻刀１，２におけるホルダ３の頭部４には刃体７，９やガード８を覆って隠すキャップを被せることができる。
・  保持孔２３については、収容室２６の内周面全体を環状に形成する構成以外に、挿脱口２４と開口２５との間で収容室２６が上方へ開放された溝状（例えば、断面半円状や断面Ｕ字状や断面コ字状）に形成してもよい。
【００４５】
・  保持孔２３とガード８との間の相互着脱手段としては、弾性的に互いに係脱される係止舌片部２９（凸部）及び透孔５０ｃ（凹部）以外に、その凸部をガード８に設けるとともにその凹部を保持孔２３に設けたり、そのほかの凹凸部による係脱や、面ファスナーや磁石や摩擦圧接による着脱等を採用してもよい。
【００４６】
・  彫刻刀保管具としては、彫刻刀を収容するケース以外に、上向きの保持孔を有する保管具本体に彫刻刀を立てて保管してホルダをその保持孔から突出させたり、横向きの保持孔を有する保管具本体に彫刻刀を横にして保管してホルダをその保持孔から突出させたりするものであってもよい。
【００４７】
・  ケース１０のケース本体１１以外に、ケース１０の蓋２２に保持孔２３を形成してもよい。
・  ガード８の環状部４４が保持孔２３の開口２５からケース本体１１の保管室１７へ突出することなく、ガード８の全体が保持孔２３の収容室２６内に収容されるようにしてもよい。また、保持孔２３に対するガード８の収容時にガード８の一部を保持孔２３の挿脱口２４から突出させてもよい。
【００４８】
・  ケース本体１１や蓋２２は、プラスチック以外の材質で成形してもよい。
・  使用時に載置されるケース本体１１の底面や蓋２２の表面にゴム等の滑止めや吸盤を設ければ、ケース本体１１や蓋２２が保持されて不用意に移動しないので、ケース本体１１や蓋２２を手で支えることなく、片手だけで保持孔２３にガード８を挿脱させることができる。
【符号の説明】
【００４９】
１，２…彫刻刀、３…ホルダ、４…ホルダの頭部、５…ホルダの把持部、６…ホルダの尻部、７…刃体、８…カバーとしてのガード、１０…彫刻刀保管具としてのケース、１１…保管具本体としてのケース本体、２３…保持部としての保持孔、２４…保持孔の挿脱口、Ｘ…ホルダの長手方向。
【図１】
0005422309.tif 000002
【図２】
0005422309.tif 000003
【図３】
0005422309.tif 000004
【図４】
0005422309.tif 000005
【図５】
0005422309.tif 000006
【図６】
0005422309.tif 000007
【図７】
0005422309.tif 000008
【図８】
0005422309.tif 000009
【図９】
0005422309.tif 000010
【図１０】
0005422309.tif 000011